(57)【要約】【課題】  ファクシミリ装置の記憶領域の容量を少なくする。【解決手段】  ファクシミリ装置２０とサーバ３０が電話回線又はネットワーク等の通信線４０を介して接続されている。サーバ３０は、各国語の言語データとフォントデータを蓄積している。使用者がファクシミリ装置２０の操作部、表示部を介して使用したい言語を選択指示すると、ファクシミリ装置２０は、指示された言語データ及び対応するフォントデータをサーバ３０に要求し、その言語データ及びフォントデータをサーバ３０からダウンロードする。従って、ファクシミリ装置２０は、現在選択されている言語以外の言語データ、フォントデータを保持している必要がなくなる。【選択図】  図１
2005072912.tif 000002
【特許請求の範囲】
【請求項１】
複数の言語を選択的に用いてファクシミリ通信・表示・印刷を行うファクシミリ装置と、複数の言語データと複数の言語データと対応する複数のフォントデータを蓄積するサーバからなり、
ファクシミリ装置は利用者により指定された言語の言語データ及び対応するフォントデータをサーバからダウンロードすることを特徴とする通信システム。
【請求項２】
前記サーバは、複数の言語データと対応する複数の音声データを蓄積し、前記ファクシミリ装置は、前記指定された言語と対応する音声データをサーバからダウンロードすることを特徴とする請求項１記載の通信システム。
【請求項３】
前記言語データ、フォントデータをそれぞれ別のサーバに蓄積することを特徴とする請求項１記載の通信システム。
【請求項４】
前記言語データ、フォントデータ、音声データをそれぞれ別のサーバに蓄積することを特徴とする請求項２記載の通信システム。
【請求項５】
前記言語データ、フォントデータ、音声データのうちの２つのデータを１つのサーバに蓄積し、他の１つのデータを別のサーバに蓄積することを特徴とする請求項２記載の通信システム。
【請求項６】
複数の言語を選択的に用いてファクシミリ通信・表示・印刷を行うファクシミリ装置において、
利用者が使用する言語を指定する指定手段と、
指定された言語の言語データ及び対応するフォントデータをサーバからダウンロードする通信手段とを設けたことを特徴とするファクシミリ装置。
【請求項７】
前記通信手段は、前記指定された言語と対応する音声データをサーバからダウンロードすることを特徴とする請求項６記載のファクシミリ装置。
【請求項８】
前記言語データ、フォントデータを、それぞれ別のサーバからダウンロードすることを特徴とする請求項６記載のファクシミリ装置。
【請求項９】
前記言語データ、フォントデータ、音声データを、それぞれ別のサーバからダウンロードすることを特徴とする請求項７記載のファクシミリ装置。
【請求項１０】
前記言語データ、フォントデータ、音声データのうちの２つのデータを１つのサーバにからダウンロードし、他の１つのデータを別のサーバからダウンロードすることを特徴とする請求項７記載のファクシミリ装置。
【発明の詳細な説明】
【技術分野】
【０００１】
本発明は、各国語でファクシミリ通信・表示・印刷を行うことができるファクシミリ装置及びこの装置を用いた通信システムに関するものである。
【背景技術】
【０００２】
従来のファクシミリ装置として、利用者又はダウンロードセンターからの指示に応じて制御された通信制御部が言語データを外部からダウンロードしてメモリに書き込むことにより、使用する言語の変更を行うようにしたものがあった（例えば、特許文献１参照）。この場合、使用される可能性がある様々な国の言語（日本語、中国語、欧州語、ロシア語等）の言語データに対応するフォントデータに関しては不要なものも全て保持している必要があり、記憶領域に多くの容量を必要としていた。
【特許文献１】特開２００１−８６２８６号公報
【発明の開示】
【発明が解決しようとする課題】
【０００３】
本発明は、ファクシミリ装置の記憶領域の容量を少なくすることを課題としている。
【課題を解決するための手段】
【０００４】
本発明による通信システムは、複数の言語を選択的に用いてファクシミリ通信・表示・印刷を行うファクシミリ装置と、複数の言語データと複数の言語データと対応する複数のフォントデータを蓄積するサーバからなり、ファクシミリ装置は利用者により指定された言語の言語データ及び対応するフォントデータをサーバからダウンロードすることを特徴とするものである。
【０００５】
また、本発明によるファクシミリ装置は、複数の言語を選択的に用いてファクシミリ通信・表示・印刷を行うファクシミリ装置において、利用者が使用する言語を指定する指定手段と、指定された言語の言語データ及び対応するフォントデータをサーバからダウンロードする通信手段とを設けたことを特徴とするものである。
【０００６】
また、サーバに複数の言語データと対応する複数の音声データを蓄積し、ファクシミリ装置は前記指定された言語と対応する音声データをサーバからダウンロードするようにしてよい。
【０００７】
また、言語データ、フォントデータを、それぞれ別のサーバに蓄積するようにしてもよく、あるいは言語データ、フォントデータ、音声データを、それぞれ別のサーバに蓄積ようにしてもよく、さらに、言語データ、フォントデータ、音声データのうちの２つのデータを１つのサーバに蓄積し、他の１つのデータを別のサーバに蓄積するようにしてもよい。
【発明の効果】
【０００８】
使用する言語データとこの言語で必要とするフォントデータとをサーバからダウンロードすることができるので、ファクシミリ装置は、現在選択されている言語以外の言語データ、フォントデータを保持している必要がなくなり、装置の記憶領域を少なくすることができる。
【発明を実施するための最良の形態】
【０００９】
ファクシミリ装置の記憶領域を少なくするために、言語データ、フォントデータを蓄積したサーバを設け、このサーバから必要なデータをダウンロードするようにした。
【実施例１】
【００１０】
図１は本発明の実施例１によるファクシミリ通信システムを示すブロック図である。
図１において、ファクシミリ装置２０とサーバ３０が電話回線又はネットワーク等の通信線４０を介して接続されている。
サーバ３０は、各国語の言語データとフォントデータを蓄積している。
【００１１】
図２はファクシミリ装置２０の構成を示すブロック図である。
図２において、ファクシミリ装置２０は、ＣＰＵ１、ＲＯＭ２、ＲＡＭ３、画像メモリ４、操作部５、表示部６、画像読取部７、画像出力部８、符号化復号化部９、モデム１０、網制御部１１、ネットワークインターフェース（以下、Ｉ／Ｆ）１２、データバス１３により図示のように構成されている。ＣＰＵ１はＲＯＭ２に書き込まれたプログラムに従ってＲＡＭ３を使用しながら画像メモリ４、操作部５、表示部６、画像読取部７、画像出力部８、符号化復号化部９、モデム１０、網制御部１１、ネットワークＩ／Ｆ１２、データバス１３を制御する。
【００１２】
次に、上記構成による動作について図３のフローチャートを用いて説明する。
図１、図２、図３において、使用者はファクシミリ装置２０の操作部５、表示部６を通して自分が使用したい言語を選択し、言語切り替えを指示する（ステップＳ１、以下ステップ略）。ＣＰＵ１は言語切り替えを指示されると、データをダウンロードするために最適な経路を選択する（Ｓ２）。電話回線又はインターネット、イントラネット等のネットワーク回線のどちらかの接続があればそれを選択し、両方接続されている場合であれば予め優先順位を指定しておき、任意の回線を選択するようにしても良い。
【００１３】
ダウンロード回線が決定したら、指示された言語の言語データをサーバ３０に要求し、その言語データをサーバ３０からダウンロードする（Ｓ３又はＳ４）。ここでの言語データの形式は問わず、例えば圧縮されていれば伸長処理と組み合わせて、ダウンロードしたデータをＲＡＭ３へ書き込む（Ｓ５）。次にＣＰＵ１は指示された言語で表示・印刷する場合に必要とするフォントデータをＲＡＭ３に保持しているかどうかの判断を行い（Ｓ６）、既に保持していればそのまま終了する。保持していなければ、前記と同様の回線選択判断（Ｓ７）により同じ回線を使用してフォントデータを要求してサーバ３０からダウンロードする（Ｓ８又はＳ９）。ここでのフォントデータの形式は問わず、例えば圧縮されていれば伸長処理と組み合わせて、ダウンロードしたデータをＲＡＭ３へ書き込む（Ｓ１０）。
【００１４】
実施例１によれば、言語切り替え時には、サーバ３０から切り替え後の言語データと、当該言語で必要とするフォントデータとをダウンロードすることにより、現在選択されている言語以外の言語データ、フォントデータを保持している必要がなくなり、ファクシミリ装置２０の記憶領域を少なくすることができる。
【実施例２】
【００１５】
次に、本発明の実施例２について説明する。
上記実施例１では、言語データと共に音声データを変更する場合に、不要な音声データを全て保持している必要があり、記憶領域により多くの容量を必要とする。実施例２はこの問題を解決するものである。
【００１６】
実施例２による動作について図４のフローチャートを用いて説明する。
実施例２は、ファクシミリ装置２０の留守番電話機能等のための音声メッセージや、ファクシミリ情報サービス機能等のための音声ガイダンス等を行うのに必要な音声データをサーバ３０からダウンロードするようにしたものである。
従って、図４は、図３に音声データをダウンロードする処理（Ｓ１１〜Ｓ１４）が追加になっているところが異なっている。追加部分以外の説明は前記実施例１と同様であるので、追加部分について説明する。
【００１７】
図４において、言語データのＲＡＭ３への書き込みが終了すると（Ｓ５）、前記と同様の回線選択判断（Ｓ１１）により言語データのダウンロードと同じ回線を使用して音声データをサーバ３０からダウンロードする（Ｓ１２、Ｓ１３）。ここでの音声データの形式は問わず、例えば圧縮されていれば伸長処理と組み合わせて、ダウンロードしたデータをＲＡＭ３へ書き込む（Ｓ１４）。書き込み終了後はＳ６以下のフォントデータのダウンロード処理へと進む。尚、図４において、音声データをダウンロードするのは言語データの次に限るものではなく、フォントデータも含めて、各データのダウンロードは任意の順番で行えばよい。
【００１８】
実施例２によれば、言語切り替え時には、サーバ３０から切り替え後の言語データと当該言語で必要とするフォントデータと共に、当該言語での音声ガイダンス／メッセージ用の音声データを合わせてダウンロードすることにより、現在選択されている言語以外の言語データ、フォントデータ、音声データを保持している必要がなくなり、装置の記憶領域を少なくすることができる。
【実施例３】
【００１９】
次に、本発明の実施例３について説明する。
前記実施例１、２では、１つのサーバ３０で全てのデータを扱うと、他のファクシミリ装置によるダウンロードの集中等によりサーバ３０に負荷がかかり、システム全体の問題に発展する可能性があった。実施例３はこの問題を解決するものである。
【００２０】
図５は実施例３による通信システムを示すブロック図である。
図５においては、電話回線又はネットワーク等の通信線４０上に、言語データサーバ３１、フォントデータサーバ３２、音声データサーバ３３を備えている。
【００２１】
図６は実施例３による動作を示すフローチャートである。
図６におけるＳ２１〜Ｓ２５は、図４のＳ１〜Ｓ５と対応し、図６におけるＳ２６〜Ｓ２９は、図４のＳ１１〜Ｓ４と対応し、図６におけるＳ３０〜Ｓ３４は、図４のＳ６〜Ｓ１０と対応するが、図６において図４と異なるのは、各データのダウンロード時に各データを担当するサーバ３１、３２、３３を意識して処理を行うところである。即ち、言語データは言語データサーバ３１からダウンロードを行い、フォントデータはフォントデータサーバ３２からダウンロードを行い、音声データは音声データサーバ３３からダウンロードを行う。各ステップでの処理内容は図４と同様であるので説明を省略する。尚、各サーバ３１、３２、３３の電話番号やアドレスはＲＯＭ２あるいはＲＡＭ３に予め設定・登録しておくものとする。
【００２２】
実施例３によれば、ダウンロード対象のサーバが、言語データ、フォントデータ、音声データで同一ではないので、１つのサーバにダウンロードが集中することが無くなり、負荷が分散されるので、システム全体の安定化に繋がる。
尚、言語データ、フォントデータ、音声データのうちの２つのデータを１つのサーバに蓄積し、他の１つのデータを別のサーバに蓄積するようにしてもよい。
また、実施例１において、言語データとフォントデータを別のサーバに蓄積してもよい。
【図面の簡単な説明】
【００２３】
【図１】本発明の実施例１による通信システムを示すブロック図である。
【図２】ファクシミリ装置の構成を示すブロック図である。
【図３】実施例１による動作を示すフローチャートである。
【図４】実施例２による動作を示すフローチャートである。
【図５】本発明の実施例３による通信システムを示すブロック図である。
【図６】実施例３による動作を示すフローチャートである。
【符号の説明】
【００２４】
１    ＣＰＵ
２    ＲＯＭ
３    ＲＡＭ
４    画像メモリ
５    操作部
６    表示部
７    画像読取部
８    画像出力部
１０    モデム
１１    網制御部
１２    ネットワークインターフェース
１３    データバス
２０    ファクシミリ装置
３０    サーバ
３１    言語データサーバ
３２    フォントデータサーバ
３３    音声データサーバ
４０    電話回線又はネットワーク等の通信線
【図１】
2005072912.tif 000003
【図２】
2005072912.tif 000004
【図３】
2005072912.tif 000005
【図４】
2005072912.tif 000006
【図５】
2005072912.tif 000007
【図６】
2005072912.tif 000008